(57)【特許請求の範囲】
【請求項１】
複数の列および段に配列された複数対の色表示ブロックにより構成され、前記各色表示ブロックはそれぞれ複数の色表示フレームにより構成され、各対の色表示ブロックにおける各色表示フレームはＣ版、Ｍ版およびＹ版のうちのいずれか１つの版を所定の段階的に変化した網点濃度で、別の１つの版を各列毎に設定された所定の網点濃度で、そして残りの１つの版を各段毎に設定された所定の網点濃度でそれぞれ印刷され、各対の色表示ブロックの一方の各色表示フレームは段階的に変化した少なくとも２つの所定の網点濃度でＫ版を印刷されることを特徴とするカラーチャート。
【請求項２】
前記各対の色表示ブロックの一方と他方の色表示ブロックとはそれぞれ別の列および段で配列されることを特徴とする請求項１記載のカラーチャート。
【請求項３】
前記各対の色表示ブロックは相互に隣接して配列されることを特徴とする請求項１記載のカラーチャート。
【請求項４】
前記各色表示ブロックにおける複数の色表示フレームのうちの１つの色表示フレームは、他の色表示フレームと比較して相対的に大きな面積に画定され、該相対的に大きな面積の色表示フレームにはその色表示フレームが位置する色表示ブロックを代表する色が印刷されることを特徴とする請求項１、２または３記載のカラーチャート。
【請求項５】
前記各色表示ブロックは四角形の各色表示フレームを集合することにより形成され、前記Ｋ版は各色表示フレームを対角線により分割した少なくとも２つの各表示区域にそれぞれ異なった値の網点濃度で印刷されることを特徴とする請求項１〜４のいずれか一項に記載のカラーチャート。
【請求項６】
前記各色表示ブロックにおける色表示フレームは複数の桁および行で配列され、各桁および行における各色表示フレームに印刷される前記１つの版の網点濃度は一方の側から他方の側へ行くに従って段階的に増大または減少した網点濃度であることを特徴とする請求項１、２、４または５記載のカラーチャート。
【請求項７】
前記各色表示ブロックにおける色表示フレームは１線上に配列され、各色表示フレームに印刷される前記１つの版の網点濃度は一方の側から他方の側へ行くに従って段階的に増大または減少した網点濃度であることを特徴とする請求項１、３、４または５記載のカラーチャート。
【発明の詳細な説明】
【０００１】
【発明の属する技術分野】
本発明は、各種の印刷物を作成する際に、所望の色を選択するのに用いられるカラーチャートに関する。
【０００２】
【従来の技術】
周知の如く、カラーチャートはデザイナー等が印刷物に印刷すべき色を選択し指定するときに便利な見本帳として多用されている。カラーチャートは、一般的に、方形の色表示フレームを縦横に整列して画定し、その色表示フレームの各々にそれぞれシアン、マゼンダ、イエローおよび墨の各版（以下、これらをそれぞれＣ版、Ｍ版、Ｙ版、Ｋ版と略称する。）の網点濃度を階調的に変えてプロセスカラー印刷することにより作成されている。そのため、これらの色を１枚の用紙に表示すると非常に大きくなって使用し難くなり、また、複数頁に別けて作成すると同じような色が複数頁に表示されしまい、色を選択し難くくする要因となっていた。
【０００３】
【発明が解決しようとする課題】
本発明は、近年、Ｋ版の網点濃度の変化により表示される色に対する要望が少なくなっていることに鑑み、限られたスペース上により多くの色を表示させてより少ない頁でカラーチャートを構成し、色の選択を容易に遂行できると共に、Ｋ版の網点濃度の変化による色の相違を類推し易くすることのできるカラーチャートを提供するものである。
【０００４】
【課題を解決するための手段】
本発明によるカラーチャートは、複数の列および段に配列された複数対の色表示ブロックにより構成され、そして、各色表示ブロックはそれぞれ複数の色表示フレームにより構成されている。各対の色表示ブロックにおける各色表示フレームはＣ版、Ｍ版およびＹ版のうちのいずか１つの版を所定の段階的に変化した網点濃度で、別の１つの版を各列毎に設定された所定の網点濃度で、そして、残りの１つの版を各段毎に設定された所定の網点濃度でそれぞれ印刷されている。そして、各対の色表示ブロックの一方の各色表示フレームは段階的に変化した少なくとも２つの所定の網点濃度でＫ版を印刷されている。
【０００５】
各対の色表示ブロックの一方の色表示フレームは、Ｃ版、Ｍ版およびＹ版のうちのいずか１つの版について所定の段階的に変化した網点濃度で印刷された色（このとき、他の２つの版は、その色表示ブロックが位置する列および段の所定の網点濃度で印刷される。）を表示し、そして、他方の色表示ブロックの色表示フレームは、前記一方の色表示ブロックの色表示フレームに表示された色の明度を落とした色を表示する。
【０００６】
これにより、従来のカラーチャートに比べ、所定の段階数分の頁に渡って表示されていた色を同一頁上に表示させることができるだけでなく、色の選定に当たって、色相および彩度の変化について前記一方の色表示ブロックの色表示フレームに表示された色から選択し、その色の明度の低下による色の変化は、選定した色の色表示ブロックと対になっている前記他方の色表示ブロックの色表示フレームに表示された色と比較検討することにより所望の色を簡単に選定することができる。また、Ｋ版の有無および網点濃度の違いによる色変化をその場で比較できるため、Ｋ版の網点濃度の異なるものを多種用意していなくとも容易に推測することができ、同一系統の色が多頁に表示されて色の選定を迷わすことを回避することができる。
【０００７】
本発明のカラーチャートは、前記各対の色表示ブロックの一方と他方の色表示ブロックをそれぞれ別の列および段で配列したり、相互に隣接して配列したりすることもできる。前者の場合、相対的に小さな頁のカラーチャートとして作成する場合に適しており、主として明度の異なる同系統の色が混在することによる色選定時の混乱を解消できる利点を有している。一方、後者の場合、相対的に大きな頁のカラーチャートとして作成する場合に適しており、同系統の色が混在することにはなるが、明度の違いによる色の相違を容易に把握することができ、かつ、カラーチャートに表示されていない明度での色を類推することが容易となる利点を有している。
【０００８】
本発明のカラーチャートはまた、各色表示ブロックにおける複数の色表示フレームのうちの１つの色表示フレームを、他の色表示フレームと比較して相対的に大きな面積に画定し、この相対的に大きな面積の色表示フレームに、その色表示フレームが位置する色表示ブロックを代表する色を印刷することもでき、この相対的に大きな面積の色表示フレームが色選定時の標識として機能することで色選定作業を簡便に行うことができる。
【０００９】
本発明のカラーチャートは更に、各色表示ブロックを四角形の各色表示フレームを集合することで形成し、各色表示フレームを対角線により分割した少なくとも２つの各表示区域にそれぞれ異なった値の網点濃度でＫ版を印刷することもできる。四角形の各色表示フレームは対角線により分割されて異なった網点濃度でＫ版を印刷されていることにより、立体的な印象を観者に与え、よりスマートなカラーチャートにすることができる。
【００１０】
更に、本発明のカラーチャートは、各色表示ブロックにおける色表示フレームを複数の桁および行で配列し、各桁および行における各色表示フレームに印刷された前記１つの版（１つの色表示ブロックの各色表示フレーム毎に異なった網点濃度で印刷される版）の網点濃度を、一方の側から他方の側へ行くに従って段階的に増大または減少した網点濃度となるように設定したり、或いはまた、各色表示ブロックにおける色表示フレームを１線上に配列し、各色表示フレームに印刷される前記１つの版の網点濃度を、一方の側から他方の側へ行くに従って段階的に増大または減少した網点濃度となるように設定したりすることもできる。これにより、色表示フレームに表示される色は、色相および／または彩度が段階的かつ連続的に連係した状態で示されることになり、色の選定をより容易に行うことができる。
【００１１】
【発明の実施の形態】
本発明の実施例によるカラーチャートは、図１および図２に示すように、複数の列および段（図示の場合、９列および９段）で配列された複数対（図示の場合、８１対）の方形の色表示ブロック１ａおよび１ｂにより構成され、そして、各色表示ブロック１ａ，１ｂはそれぞれ複数の桁および行（図示の場合、３桁および３行）で配列された複数（図示の場合、９個）の方形の色表示フレーム２により構成されている。各列の上方および／または下方並びに各段左方および／または右方位置には、その列または段の色表示ブロック１ａおよび１ｂにそれぞれ印刷されるＣ版、Ｍ版およびＹ版のうちのいずれか２つの版の各々の網点濃度の値３ａ，３ｂがそれぞれ示されている。色表示ブロック１ａ，１ｂの各色表示フレームは２は、残りの１つの版を段階的に変化した網点濃度で印刷されている。
【００１２】
ここにおいて、各色表示フレーム２の形状並びにそれらを集合することにより形成される各色表示ブロック１ａ，１ｂの形状は、図示の正方形に限定されるものではなく、例えば、長方形、平行四辺形、六角形、またはその他の適当な形状にすることもできる。しかし、色選定時における利便性を高めるため、少なくとも視覚的により大きな色表示フレームを限定されたスペース上で画定すると同時に、それらをより小さな面積で表示することができる形状に選定されるのが好ましい。
【００１３】
各色表示ブロック間および各色表示フレーム間におけるＣ版、Ｍ版およびＹ版の網点濃度の段階的な変化は特に限定されるものではないが、制限された範囲でより広範な色変化を認識できるように、例えば、０％、１０％、２０％．．．．６０％、８０％、１００％のように、小さな網点濃度における変化に対して大きな網点濃度における変化をより大きく取るのが好ましい。また、各色表示ブロック間および各色表示フレーム間における網点濃度の変化は、色変化の傾向をより容易に把握するために、一方の側から他方の側に向かって段階的に漸次変化するように選定されるのが好ましい。
【００１４】
各対の色表示ブロックの一方１ｂの各色表示フレーム２は、段階的に変化した少なくとも２つの所定の網点濃度でＫ版を印刷されている。このＫ版の網点濃度の変化は、必ずしもこれに限定するものではないが、近年のデザイナーが色選択にあたって明度の低いもの避ける傾向に合わせ、２０％程度のものまでを表示させることができれば十分である。この理由により、本実施例では、Ｋ版は１０％と２０％の２段階（色表示ブロック１ａのＫ版の網点濃度が０％であることを加えると、３段階）の網点濃度で印刷されている。
【００１５】
一方、異なった網点濃度のＫ版の印刷は、方形の各色表示フレーム２を上下や左右に分けて印刷することもできるが、視覚的なスマートさ並びに一方の隅部から他方の隅部へ色彩的および形状的に連続して変化させることによる色認識の容易性を確保するために、各色表示フレーム２を対角線により２つの表示部分２ａおよび２ｂに分割し、表示部分２ａおよび２ｂにＫ版が異なった網点濃度でそれぞれ印刷されている。
【００１６】
上述の如く作成される本発明のカラーチャートは、各対の一方の色表示ブロック１ａの各色表示フレーム２に表示された色の明度を落とした色が他方の色表示ブロック１ｂの各色表示フレーム２に表示され、これにより、明度の変化による色変化を容易に認識できるため、表示されていない網点濃度のＫ版を使用したときの色を容易に類推することができる利点を具備することができる。
【００１７】
ここにおいて、色表示ブロック１ａ，１ｂおよび色表示フレーム２の形状については種々の変形が可能である。図３はその変形例の一つを示す図で、色表示フレーム２のうちの１つの色表示フレーム２Ａを他の色表示フレームと比較して相対的に大きな面積となるように画定されている。この相対的に大きな面積を有する色表示フレーム２Ａは、好ましくは、前述した各色表示フレーム毎に異なった網点濃度で印刷される版がその最も小さい網点濃度または最も大きい網点濃度或いはその中間の所定の網点濃度で印刷されている。
【００１８】
色表示フレーム２Ａはその色表示ブロックの代表的な色を表示しており、その色表示ブロックの標識的な役割を果たしている。色を選定する場合、各色表示フレーム２Ａ間を比較することにより各色表示ブロックにおける色を把握し、次いで、所望の色に近似した色表示フレーム２Ａが位置する色表示ブロックの色表示フレームの中から所望の色の色表示フレームを選定するように行うことができるため、より短時間で所望の色の選定を行うことができる。
【００１９】
また、色表示フレーム２Ａを備えた色表示ブロック１ａ，１ｂの別の変形例としては、図４または図５に示すように、色表示フレーム２を縦長または横長の色表示ブロック１ａ，１ｂを形成するように配列し、色表示フレーム２の２つ分を色表示フレーム２Ａとして使用するように作成することもできる。この変形例は色表示ブロック１ａ，１ｂを集合させるときに、カラーチャートに使用する用紙の大きさに対応してその縦横比を適合させることができる利点を有する。
【００２０】
図６は色表示ブロック１ａ，１ｂおよび色表示フレーム２の形状の別の変形例を示し、対となる色表示ブロック１ａ，１ｂは相互に隣接する側面をそれぞれ構成する、全体的に立柱した角柱を立体形状で示した形状であり、各色表示ブロック１ａ，１ｂの色表示フレーム２はそれぞれ立柱形状の側面上に１線上に配列される。この場合における頂面は、４等分した部分の隣接した２つがＫ版を適用されない側の前記の標識的な役割を有する色表示フレーム２Ａとして使用され、他の２つの部分が表示部分２ａ，２ｂに分けられ、２つの異なった網点濃度でＫ版を印刷される側の標識的な色表示フレーム２Ａとして使用される。
【００２１】
この変形例は、視覚的に新鮮味を有するだけでなく、各色表示ブロック毎にまとまっているため、色を選定するときの各色表示フレーム２Ａ間の比較をより容易に行うことができる。ここにおいて、図示の変形例は四角柱の形状で示しているが、その他の形状、例えば、六角柱や球形状等、に作成できることは容易に理解されよう。
【００２２】
本発明のカラーチャートは、図１に示したように、一方の色表示ブロック１ａと他方の色表示ブロック１ｂをそれぞれ別々に集合させて表示してもよいが、図７に図４の変形例の色表示ブロック１ａ，１ｂを例に取って示すように、一方の色表示ブロック１ａと他方の色表示ブロック１ｂを対応する各対毎に隣接させて表示することもできる。この場合、各色表示ブロック１ａ間に明度を落とした色を表示した色表示ブロック１ｂが介在することになり、一頁上における色変化の連続性を損なう虞があるが、明度の変化による色変化を容易に認識できるため、表示されていない網点濃度のＫ版を使用したときの色を容易に類推することができる利点を具備することができる。
【図面の簡単な説明】
【図１】  本発明の実施例によるカラーチャートを示す図である。
【図２】  図１に示すカラーチャートの色表示ブロックの一対を拡大して示す図である。
【図３】  図２に示す色表示ブロックの変形例を示す図である。
【図４】  図２に示す色表示ブロックの別の変形例を示す図である。
【図５】  図２に示す色表示ブロックの更に別の変形例を示す図である。
【図６】  図２に示す色表示ブロックの更に別の変形例を示す図である。
【図７】  図１に示すカラーチャートの変形例を示す部分図である。
【図１】
0004282032.tif 000002
【図２】
0004282032.tif 000003
【図３】
0004282032.tif 000004
【図４】
0004282032.tif 000005
【図５】
0004282032.tif 000006
【図６】
0004282032.tif 000007
【図７】
0004282032.tif 000008